(57)【要約】  本発明は両方向に戻ることが可能な皮膚張力を減少させる医療用の閉鎖器であって、水平方向に対称な左右の二つの基板と、左右の基板に隣接する縁側の上面に固定して設置される左右の棘爪と、上下に並列して設置されることにより、その一端がそれぞれの左右の棘爪に固着される左右の歯状バンドと、を含み、前記左右の歯状バンドの棘歯が左右の基板の方向にそれぞれ傾き、且つ前記左右の歯状バンドの他の一端が前記左右の棘爪の下を貫通して前記左右の棘爪下部に設置される棘歯と係合し、前記左右の基板下面に前記左右の基板を人体皮膚の表面に固定する接着層が設置されることを特徴とする閉鎖器を提供する。【選択図】図１
2017527360.tif 000002
【特許請求の範囲】
【請求項１】
両方向に戻ることが可能な皮膚張力を減少させる医療用の閉鎖器であって、
水平方向に対称な左右の二つの基板（３、４）と、
左右の基板に隣接する縁側の上面に固定して設置される左右の棘爪（５、７）と、
上下に並列して設置されることにより、その一端がそれぞれの左右の棘爪に固着される左右の歯状バンド（２、１）と、
を含み、
前記左右の歯状バンドの棘歯（１１）が左右の基板の方向にそれぞれ傾き、且つ前記左右の歯状バンドの他の一端が前記左右の棘爪の下を貫通して前記左右の棘爪下部に設置される棘歯（９）と係合し、前記左右の基板下面に前記左右の基板を人体皮膚の表面に固定する粘着層（１０）が設置されること
を特徴とする閉鎖器。
【請求項２】
前記左右の基板（３、４）の上面に複数の通気孔（６）が設置されることを特徴とする請求項１に記載の閉鎖器。
【請求項３】
前記左右の基板のガイド溝内に位置する前記左右の歯状バンドの一端に歯状バンド頭（８）が設置され、且つ前記歯状バンド頭の上面が横紋面あるいは磨砂面であることを特徴とする請求項１に記載の閉鎖器。
【請求項４】
前記左右の棘爪の外縁側が上に反る飛簷式の構造であることを特徴とする請求項１に記載の閉鎖器。
【請求項５】
前記左右の基板の材料がナイロン、ポリエチレン、ポリプロピレン、ポリ塩化ビニル、金属材料の中の一つあるいは二つ以上の組合せから選ばれることを特徴とする請求項１に記載の閉鎖器。
【発明の詳細な説明】
【技術分野】
【０００１】
本発明は医療用の手術用具に関し、具体的には手術の傷口の外層皮膚の張力を減少させ、両方向に戻ることが可能な皮膚張力を減少させる医療用の閉鎖器である。
【背景技術】
【０００２】
傷口の閉合は外科においてよく起こる問題である。従来、一般的に、縫合針と縫合線で外科手術の外層の皮膚を処理するが、皮膚に新しい傷を作るだけではなく、傷口の感染、異物の残留、傷口の復元が遅くなること等の問題もある。臨床医にはいろんな問題がある。
【０００３】
このような問題に対して、大量の特許が出願された。中国特許ＺＬ  ０３１１７３６４．０には一種の「皮膚傷口閉鎖器」が開示され、主な構造は二本の基帯が傷口の両側に埋められ、それぞれの上に鎖穴と棘帯が設置され、棘帯と鎖穴が互いに協力して傷口を閉合するという目的を達成する。しかしながら、このような構造は無視できない問題がある。
【０００４】
一方の棘帯が引かれると、もう一方の粘着帯が反作用力を必要するので、平均の力を受けることが難しく、実際操作の過程において操作が不便になる。
該特許にはラチェットの原理を利用し、単一の方向に閉鎖器の縫合力の調節しかできず、逆方向に回すことができないので、もし力が入り過ぎると、傷口の閉合が過剰に突出してしまう。このような時には、新しい用具に切り替えなければならないので、医療コストが大幅に上げる。
該閉鎖器が直線や直線近似の傷口だけに使用し、臨床において、殆どの傷口が不規則のものなので、弧度がある傷口に使用できなくなる。該閉鎖器に使用するナイロンプラスチックの硬さが高くて患者に不快感を与え、この点の検討も必要である。また、他の特許がこれらの問題に対して解決しようとするが、根本的には大きな変化がない。このため、弧度がある傷口に適切し、張力の大きさが自由的に調整でき、使用便利な傷口の張力を減少させる閉鎖器の必要に迫られている。
【発明の概要】
【発明が解決しようとする課題】
【０００５】
本発明の目的は上述のような従来の技術の問題点に対して、両方向に力を入れることができ、閉合の程度を自由に調整でき、各皮膚の創面に適し、縫合を必要とせず、張力を減少させる用具を提供する。
【０００６】
上述の目的を実現するため、本発明に採用される技術方案は両方向に戻ることが可能な皮膚張力を減少させる医療用の閉鎖器であって、水平方向に対称な左右の二つの基板と、左右の基板に隣接する縁側の上面に固定して設置される左右の棘爪と、上下に並列して設置されることにより、その一端がそれぞれの左右の棘爪に固着される左右の歯状バンドと、を含み、前記左右の歯状バンドの棘歯が左右の基板の方向にそれぞれ傾き、且つ前記左右の歯状バンドの他の一端が前記左右の棘爪の下を貫通して前記左右の棘爪下部に設置される棘歯と係合し、前記左右の基板下面に前記左右の基板を人体皮膚の表面に固定する接着層が設置されることを特徴とする閉鎖器を提供する。
【０００７】
本発明に記載される前記左右の基板の上面に複数の通気孔が設置され、前記粘着層の粘着剤が低アレルギー性の粘着剤である。これにより支持基板の人体皮膚に貼り付けて覆う箇所がより良い通気性になり、皮膚潰瘍が避けられる。
【０００８】
本発明の前記左右の歯状バンドの前記左右の基板ガイド溝内に位置する一端に歯状バンド頭が設置され、且つ前記歯状バンド頭の上面が横紋面あるいは磨砂面である。これで歯状バンドを引くことが簡単になる。
【０００９】
本発明の前記左右の棘爪の外縁側が上に反る飛簷式の構造である。
【００１０】
本発明の前記左右の基板の材料がナイロン、ポリエチレン、ポリプロピレン、ポリ塩化ビニール、金属材料の中で一つあるいは二つ以上の組合せから選ばれる。
【００１１】
具体的に、本発明の両方向に戻ることが可能な皮膚張力を減少させる医療用の閉鎖器は二つの同じ構造の基板からなり、基板の上に通気孔、粘着層、棘爪及び歯状バンドが設置され、粘着層が基板の底部に設置され、棘爪が基板の頭部に設置される。使用する時に、基板を傷口の両側に貼り付け、両方の歯状バンドの歯状バンド頭を引いて基板の下の皮膚を縫合できる。また、もし力が入り過ぎて歯状バンドが引かれ過ぎても、歯状バンドの上の棘爪を操作し、閉合の程度を自由に調整する。本発明は両方に平均な力を入られることができ、同時に閉鎖器の閉合の程度を自由に調整できる。
【００１２】
本発明の原理及び有益な効果について、本発明は二つの同じ構造の基板からなり、基板の上に通気穴、粘着層、棘爪及び歯状バンドが設置され、粘着層が基板の底部に設置され、棘爪が基板の頭部に設置される。
【００１３】
使用する時に、基板を傷口の両側に貼り付け、両方のバンドを引いて基板の下の皮膚を縫合できる。
また、二つの棘爪の外縁側に上に反る飛簷式の斜面が有し、二つ合体した棘爪と傷口の間に隙間を形成し、傷口を覆うことを防止する。最も重要な点は、もし力入りすぎてバンドが引かれ過ぎても、棘爪の上にある引きボタンが操作しやすく、閉合の程度が自由に調整できる。
また、研究によると、傷口の縫合箇所の両側の皮膚の張力が大きい程、両側の閉合が緩み、体に「組織増殖が必要」の信号を与え、より多い傷跡組織が生まれて傷口を埋め合い、一定時間の後、ムカデのような可視の傷跡が形成する。その逆に、縫合箇所の両側の皮膚の張力が小さいか、或は張力がないならば、皮膚の閉合が密接であり、体が受ける「組織増殖が必要」の信号が弱く、少し傷跡組織が生まれても傷口が復元するが、一般的に、このような復元した線状の傷跡が多い。このため、皮膚張力を減少させる閉鎖器を利用し、皮膚の両側の張力を有効に少させ、線状傷口を形成する目的を達成する。
文献によると、皮膚の両側の張力を減少することが傷口の復元に助けになり、新形成した傷跡に良い治療効果もある。例えば、医療用シリコーンゴム等の傷跡を縮小するシートと協力し、傷跡組織を効果的に緩和や減少させることができる。
上述のように、前記両方向に戻ることが可能な皮膚張力を減少させる医療用の閉鎖器は各種の傷口のケアに対応でき、同時に各種の傷跡の治療に適用でき、その過程においては、大きな益を及ぼす。
【図面の簡単な説明】
【００１４】
【図１】本発明の構造の概念図である。
【図２】図１の断面図である。
【図３】図２においてＡ箇所の拡大図である。
【図４】棘爪が開く様子を示す概念図である。
【図５】本発明が直線の傷口に応用される概念図である。
【図６】本発明が彎曲の傷口に応用される概念図である。
【図７】本発明が大きいサイズの傷口に応用される概念図である。
【発明を実施するための形態】
【００１５】
以下、図面を参考にして本発明をさらに説明する。
図１〜３に示すように、本発明の両方向に戻ることが可能な皮膚張力を減少させる医療用の閉鎖器は水平方向に対称な左右の二つの基板（３、４）と、左右の基板に隣接する縁側の上面に固定して設置される左右の棘爪（５、７）と、上下に並列して設置されることにより、その一端がそれぞれの左右の棘爪に固着される左右の歯状バンド（２、１）と、を含み、前記左右の歯状バンドの棘歯（１１）が左右の基板の方向にそれぞれ傾き、且つ前記左右の歯状バンドの他の一端が前記左右の棘爪の下を貫通して前記左右の棘爪下部に設置される棘歯（９）と係合し、前記左右の基板下面に前記左右の基板を人体皮膚の表面に固定する粘着層（１０）が設置される。
【００１６】
本発明の前記左右の基板（３、４）の上面に複数の通気孔（６）が設置され、前記粘着層の粘着剤が低アレルギー性の粘着剤である。これで支持基板の人体皮膚に貼り付けて覆う箇所がより良い通気性になり、皮膚潰瘍を避けられる。また、傷口が大きくて貼り付けなくなった場合、例えば、閉鎖器を傷口の両側に直接に貼り付け、スキンステープラー或は手術縫合線で、通気孔（６）を経て基板を傷口の両側に縫合することのような侵入の方法で固定を行うことができる。
【００１７】
前記左右の歯状バンドの前記左右の基板のガイド溝内に位置する一端に歯状バンド頭（８）が設置され、且つ前記歯状バンド頭の上面が横紋面あるいは磨砂面である。
【００１８】
前記左右の棘爪の外縁側が上に反る飛簷式の構造である。
【００１９】
前記左右の基板の材料がナイロン、ポリエチレン、ポリプロピレン、ポリ塩化ビニル、金属材料の中に一つあるいは二つ以上の組合せから選ばれる。
【００２０】
図５〜６は本発明の直線状傷口と彎曲状傷口に使用する状態である。その使用方法は、使用する時に傷口の両側に貼り付け、両方の歯状バンドを引いて基板の下の皮膚を縫合できる。また、もし力を入り過ぎて歯状バンドが引かれ過ぎても、歯状バンドの上の棘爪を操作し、閉合の程度を自由に調整する。本発明は両方に平均的に力を入れることができ、同時に閉鎖器の閉合の程度を自由に調整できる。
【００２１】
図７が示すように、本発明が大きいサイズの傷口に応用されるときに、本発明の閉鎖器を対称に並べて不織布粘着層に貼り付け、同じ側に位置する閉鎖器の上に不織布粘着層を貼り付け、同じ側に位置する閉鎖器が上下に位置する二枚の不織布粘着層によって一体になり、一つになる。これで閉鎖器の間により頑丈と安定の構造を保証する。
【符号の説明】
【００２２】
１      右歯状バンド
２      左歯状バンド
３      左基板
４      右基板
５      左棘爪
６      通気穴
７      右棘爪
８      歯状バンド頭
９      棘歯
１０    粘着層
１１    棘歯
１２    傷口
１３    不織布粘着層
【図１】
2017527360.tif 000003
【図２】
2017527360.tif 000004
【図３】
2017527360.tif 000005
【図４】
2017527360.tif 000006
【図５】
2017527360.tif 000007
【図６】
2017527360.tif 000008
【図７】
2017527360.tif 000009
【国際調査報告】
2017527360.tif 000010
2017527360.tif 000011
2017527360.tif 000012
2017527360.tif 000013
2017527360.tif 000014
2017527360.tif 000015